(57)【要約】【課題】携帯無線機本体の外観やデザインの自由度が制限されることなく高いアンテナ性能が得られる携帯無線機を提供する。【解決手段】携帯無線機１は、回路基板１１を隔てて筐体１０の背面部１０ａに対して逆側に設けた放射素子１４と、回路基板１１と筐体１０の背面部１０ａとの間に回路基板１１と略平行に配置した板状導体１６を備える。放射素子１４と板状導体１６を備えることで、携帯無線機１を金属板３００上に置いた際、放射素子１４が金属板３００によるイメージ電流により、λ／２の電気長を有する垂直無給電素子として動作し、また板状導体１６が放射素子１４のカウンターポイズとして動作するので、金属板３００上でより高いアンテナ性能が得られる。また、携帯無線機１のアンテナ素子１３を金属板から離すためのリブを必要としないので、携帯無線機１本体の外観やデザインの自由度が制限されない。【選択図】図１
2011120072.tif 000002
【特許請求の範囲】
【請求項１】
第１の筐体と、
前記第１の筐体に設けられ、前記第１の筐体の背面部との間隔が動作周波数帯において波長の１／８未満であり、グランドパターンを有する回路基板と、
前記回路基板上の無線回路に接続された給電部と、
前記第１の筐体の背面上部に設けられ、前記給電部と接続されたアンテナ素子と、
前記回路基板を隔てて前記第１の筐体の背面部に対して逆側に設けられた第１の放射素子と、
前記第１の放射素子の一方の端を前記グランドパターンと接続させるリアクタンス素子と、
を備えた携帯無線機。
【請求項２】
第１の筐体と、
前記第１の筐体と連結される第２の筐体と、
前記第１の筐体に設けられ、前記第１の筐体の背面部との間隔が動作周波数帯において波長の１／８未満であり、グランドパターンを有する回路基板と、
前記回路基板上の無線回路に接続された給電部と、
前記第１の筐体の背面上部に設けられ、前記給電部と接続されたアンテナ素子と、
前記回路基板を隔てて前記第１の筐体の背面部に対して逆側に設けられた第１の放射素子と、
前記第１の放射素子の一方の端を前記グランドパターンと接続させるリアクタンス素子と、
を備えた携帯無線機。
【請求項３】
前記第２の筐体に設けられた第２の放射素子を備え、前記第２の放射素子と前記第１の放射素子とが接続されている請求項２に記載の携帯無線機。
【請求項４】
前記第１の筐体と前記第２の筐体とを回動自在に連結する筐体連結部を備え、
前記筐体連結部は、導電性の金属で構成された第１連結部と第２連結部とを有し、前記第１連結部と前記第２連結部とが高周波的に接続されると共に回動自在に支持され、
前記第１連結部は、前記第１の筐体に設けられ、前記第１の放射素子と電気的に接続されており、
前記第２連結部は、前記第２の筐体に設けられ、前記第２の放射素子と電気的に接続されている請求項３に記載の携帯無線機。
【請求項５】
前記第１連結部と前記第１の放射素子とがリアクタンス素子を介して接続されている請求項４に記載の携帯無線機。
【請求項６】
前記第１の筐体と前記第２の筐体とを摺動自在に連結する筐体連結部を備え、
前記筐体連結部は、導電性の金属で構成された第１連結部と第２連結部とを有し、前記第１連結部と前記第２連結部とが高周波的に接続されると共に摺動自在に支持され、
前記第１連結部は、前記第１の筐体に設けられ、前記第１の放射素子と電気的に接続されており、
前記第２連結部は、前記第２の筐体に設けられ、前記第２の放射素子と電気的に接続されている請求項３に記載の携帯無線機。
【請求項７】
前記第１連結部と前記第１の放射素子とがリアクタンス素子を介して接続されている請求項６に記載の携帯無線機。
【請求項８】
前記第１の筐体内の前記回路基板と前記第１の筐体の背面部との間に前記回路基板と略平行に配置された板状導体を備え、前記板状導体と前記回路基板のグランドパターンとが接続されている請求項１乃至請求項７のいずれかに記載の携帯無線機。
【請求項９】
前記板状導体と前記回路基板のグランドパターンとがインダクタンス素子を介して接続されている請求項８に記載の携帯無線機。
【発明の詳細な説明】
【技術分野】
【０００１】
本発明は、携帯電話機等の携帯無線機に関する。
【背景技術】
【０００２】
携帯無線機のアンテナ配置として、携帯無線機の筐体の長手方向あるいは短手方向に対して略平行にアンテナ素子あるいは地線を配置する構成が一般的である。ところで、このような構成では、携帯無線機を金属製の机等の金属板上に置くと想定すると、アンテナ素子あるいは地線が金属板と近接かつ平行な位置関係になる場合が多く、アンテナ性能が著しく低下してしまう課題がある。このような課題を解決するための提案として、例えば特許文献１、２で開示されたものが知られている。
【０００３】
特許文献１には、無線機（携帯無線機）本体の背面の一部にリブを設けて、無線機を金属板上に置いた際に、無線機のアンテナが金属板から離れるようにした点が開示されている。無線機本体の背面に設けたリブによって無線機のアンテナを金属板から離すことで、アンテナ性能の劣化を防止でき、良好な通信品質が得られる。
【０００４】
特許文献２には、アンテナが接続される回路基板のグランドパターンに放射素子を接続するとともに、該放射素子と略垂直な方向に補助地板を結合した点が開示されている。図１７は、当該文献で開示された通信端末の概略構成を示す図である。この通信端末９０は、下筐体１００と上筐体２００からなる折り畳式の携帯電話機であり、下筐体１００には、その長手方向と平行に下基板１０１が配置されている。下基板１０１の図面右端部分には無線回路（図示略）に接続された給電部１０２と該給電部１０２に接続されたアンテナ素子１０３が設けられている。また、下基板１０１の図面左端部分には下方へ垂直に延びる放射素子１０４と該放射素子１０４の先端部分から下基板１０１と平行に延びる補助地板１０５とが設けられている。
【０００５】
図１８は、通信端末９０を金属板３００上に置いたときのアンテナ電流ｉａとイメージ電流ｉｉの流れを示す図である。放射素子１０４と補助地板１０５を有することで、通信端末９０を金属製の机等の金属板３００上に置いた際に、放射素子１０４と補助地板１０５とが金属板３００との鏡像効果（イメージ）によりダイポールアンテナとして動作するので、通信端末の受信感度が良好に保たれる。
【先行技術文献】
【特許文献】
【０００６】
【特許文献１】特開平１０−１２６３０４号公報
【特許文献２】特開２００７−３２９９６２号公報
【発明の概要】
【発明が解決しようとする課題】
【０００７】
しかしながら、上述した特許文献１、２で開示された従来技術には以下に述べる課題がある。特許文献１で開示された技術においては、無線機本体にリブを設ける関係上、無線機の外観やデザインに影響を与えてしまい、外観やデザインの自由度が制限されてしまう。また、特許文献２で開示された技術においては、専用に追加する補助地板をグランドそのものとするため、放射素子の放射効率が良くなく、高いアンテナ性能が得られない。
【０００８】
本発明は、係る事情に鑑みてなされたものであり、携帯無線機本体の外観やデザインの自由度が制限されることなく高いアンテナ性能が得られる携帯無線機を提供することを目的とする。
【課題を解決するための手段】
【０００９】
本発明の携帯無線機は、第１の筐体と、前記第１の筐体に設けられ、前記第１の筐体の背面部との間隔が動作周波数帯において波長の１／８未満であり、グランドパターンを有する回路基板と、前記回路基板上の無線回路に接続された給電部と、前記第１の筐体の背面上部に設けられ、前記給電部と接続されたアンテナ素子と、前記回路基板を隔てて前記第１の筐体の背面部に対して逆側に設けられた第１の放射素子と、前記第１の放射素子の一方の端を前記グランドパターンと接続させるリアクタンス素子と、を備えた。
【００１０】
上記構成によれば、携帯無線機が動作している状態で金属製の机等の金属板上に置くと、該金属板にアンテナ電流と逆位相のイメージ電流が流れる。このイメージ電流による鏡像効果により、第１の放射素子がλ／２長の電気長を有する垂直無給電素子として動作する。これにより、第１の放射素子の放射効率が上がり、高いアンテナ性能が得られる。なお、本発明は、携帯無線機のアンテナ素子を金属板から離すためのリブを必要とするものではないので、携帯無線機本体の外観やデザインの自由度を制限することはない。
【００１１】
本発明の携帯無線機は、第１の筐体と、前記第１の筐体と連結される第２の筐体と、前記第１の筐体に設けられ、前記第１の筐体の背面部との間隔が動作周波数帯において波長の１／８未満であり、グランドパターンを有する回路基板と、前記回路基板上の無線回路に接続された給電部と、前記第１の筐体の背面上部に設けられ、前記給電部と接続されたアンテナ素子と、前記回路基板を隔てて前記第１の筐体の背面部に対して逆側に設けられた第１の放射素子と、前記第１の放射素子の一方の端を前記グランドパターンと接続させるリアクタンス素子と、を備えた。
【００１２】
上記構成によれば、２つの筐体からなる携帯無線機において高いアンテナ性能が得られる。また、携帯無線機本体の外観やデザインの自由度を制限することはない。
【００１３】
上記構成において、前記第２の筐体に設けられた第２の放射素子を備え、前記第２の放射素子と前記第１の放射素子とが接続されている。
【００１４】
上記構成によれば、第１の放射素子に加えて第２の放射素子を備えることで、放射効率が更に上がり、より高いアンテナ性能が得られる。
【００１５】
上記構成において、前記第１の筐体と前記第２の筐体とを回動自在に連結する筐体連結部を備え、前記筐体連結部は、導電性の金属で構成された第１連結部と第２連結部を有し、前記第１連結部と前記第２連結部とが高周波的に接続されると共に回動自在に支持され、前記第１連結部は、前記第１の筐体に設けられ、前記第１の放射素子と電気的に接続されており、前記第２連結部は、前記第２の筐体に設けられ、前記第２の放射素子と電気的に接続されている。
【００１６】
上記構成によれば、折り畳式と呼ばれる構造の携帯無線機において高いアンテナ性能が得られる。また、携帯無線機本体の外観やデザインの自由度を制限することはない。
【００１７】
上記構成において、前記第１連結部と前記第１の放射素子とがリアクタンス素子を介して接続されている。
【００１８】
上記構成によれば、第２の放射素子の電気長を変えてもアクタンス素子の値を調整することで、動作周波数帯に共振させることができる。すなわち、第２の放射素子の設計の自由度を上げることができる。
【００１９】
上記構成において、前記第１の筐体と前記第２の筐体とを摺動自在に連結する筐体連結部を備え、前記筐体連結部は、導電性の金属で構成された第１連結部と第２連結部とを有し、前記第１連結部と前記第２連結部とが高周波的に接続されると共に摺動自在に支持され、前記第１連結部は、前記第１の筐体に設けられ、前記第１の放射素子と電気的に接続されており、前記第２連結部は、前記第２の筐体に設けられ、前記第２の放射素子と電気的に接続されている。
【００２０】
上記構成によれば、スライド式と呼ばれる構造の携帯無線機において高いアンテナ性能が得られる。また、携帯無線機本体の外観やデザインの自由度を制限することはない。
【００２１】
上記構成において、前記第１連結部と前記第１の放射素子とがリアクタンス素子を介して接続されている。
【００２２】
上記構成によれば、第２の放射素子の電気長を変えてもリアクタンス素子の値を調整することで、動作周波数帯に共振させることができる。すなわち、第２の放射素子の設計の自由度を上げることができる。
【００２３】
上記構成において、前記第１の筐体内の前記回路基板と前記第１の筐体の背面部との間に前記回路基板と略平行に配置された板状導体を備え、前記板状導体と前記回路基板のグランドパターンとが接続されている。
【００２４】
上記構成によれば、板状導体がカウンターポイズとして動作し、グランドを強化する（放射素子の放射効率を上げる）ので、より高いアンテナ性能が得られる
【００２５】
上記構成において、前記板状導体と前記回路基板のグランドパターンとがインダクタンス素子を介して接続されている。
【００２６】
上記構成によれば、板状導体の大きさを変えてもインダクタンス素子の値を調整することで、放射素子を容易に動作周波数帯に共振させることができる。すなわち、放射素子の設計の自由度を上げることができる。
【発明の効果】
【００２７】
本発明は、携帯電話機等の携帯無線機において、携帯無線機本体の外観やデザインの自由度を損なうことなく、より高いアンテナ性能を得ることができる。
【図面の簡単な説明】
【００２８】
【図１】本発明の実施の形態１に係る携帯無線機の内部の概略構成を示す図
【図２】図１の携帯無線機を金属板上に置いたときのアンテナ電流とイメージ電流の流れを示す図
【図３】本発明の実施の形態２に係る携帯無線機の内部の概略構成を示す図
【図４】図３の携帯無線機の開閉動作を示す図
【図５】図３の携帯無線機を金属板上に置いたときのアンテナ電流とイメージ電流の流れを示す図
【図６】図３の携帯無線機の第１連結部及び第２連結部を示す斜視図
【図７】図３の携帯無線機の開閉時における筐体連結部の状態を示す斜視図
【図８】図３の携帯無線機の等価構成図及び等価回路図
【図９】本発明の実施の形態３に係る携帯無線機の内部の概略構成を示す図
【図１０】図９の携帯無線機の変形例の内部の概略構成を示す図
【図１１】図９の携帯無線機の変形例の内部の概略構成を示す図
【図１２】図９の携帯無線機の変形例の内部の概略構成を示す図
【図１３】本発明の実施の形態４に係る携帯無線機の内部の概略構成を示す図
【図１４】図１３の携帯無線機を開状態にするときの動作を示す図
【図１５】図１３の携帯無線機の下筐体及び上筐体それぞれの外観を示す斜視図
【図１６】図１３の携帯無線機の筐体連結部を示す斜視図
【図１７】従来の通信端末の概略構成を示す図
【図１８】図１７の通信端末を金属板上に置いたときのアンテナ電流とイメージ電流の流れを示す図
【発明を実施するための形態】
【００２９】
以下、本発明を実施するための好適な実施の形態について、図面を参照して詳細に説明する。
【００３０】
（実施の形態１）
図１は、本発明の実施の形態１に係る携帯無線機の内部の概略構成を示す図である。同図において、本実施の形態に係る携帯無線機１は、ストレート式と呼ばれる１つの筐体１０（第１の筐体）と、筐体１０の背面部１０ａとの間隔が動作周波数帯において波長（λ）の１／８未満であり、グランドパターン（図示略）を有する回路基板１１と、回路基板１１上の無線回路（図示略）に接続された給電部１２と、筐体１０の背面上部１０ｂに設けられ、給電部１２と接続されたアンテナ素子１３と、回路基板１１を隔てて筐体１０の背面部１０ａに対して逆側に設けられた放射素子（第１の放射素子）１４と、放射素子１４の一方の端を回路基板１１上の無線回路のグランドパターンと接続させるリアクタンス素子１５と、筐体１０内の回路基板１１と筐体１０の背面部１０ａの間に回路基板１１と略平行に配置された板状導体１６と、板状導体１６と回路基板１１上の無線回路のグランドパターンとを接続するインダクタンス素子（例えばコイル）１７と、筐体１０の正面部１０ｃに設けられた表示部（例えばＬＣＤ（Liquid Crystal Display））１８とを備えている。放射素子１４は、リアクタンス素子１５を含めて略λ／４の電気長に設定されている。
【００３１】
図２は、本実施の形態の携帯無線機１を金属製の机等の金属板３００上に置いて、アンテナ素子１３にて送信を行ったときのアンテナ電流とイメージ電流の流れを示す図である。同図において、携帯無線機１を金属板３００上に置くと、放射素子１４は金属板３００のイメージ電流ｉｉにより、λ／２の電気長を有する無給電素子として動作する。
【００３２】
板状導体１６は、放射素子１４のカウンターポイズとして動作しグランドを強化する。この板状導体１６を設けることで、放射素子１４のみの場合よりも更に放射効率が上がり、より高いアンテナ性能が得られる。因みに、図１８に示す従来技術の動作原理は本発明と似ているものの、金属板３００と回路基板１０１との間に放射素子１０４を配置するために、折角の回路基板１０１を垂直ダイポールアンテナのグランドとして使用できず、わざわざ補助地板１０５を追加してグランドを構成している。そのため、垂直ダイポールのグランドが弱くなる傾向にあり、本発明として比較して高いアンテナ性能が得難い構成である。
【００３３】
なお、リアクタンス素子１５を設けることで放射素子１４の電気長の調整が可能となり、放射素子１４の設計の自由度を上げることができる。
【００３４】
このように本実施の形態の携帯無線機１によれば、回路基板１１を隔てて筐体１０の背面部１０ａに対して逆側に設けた放射素子１４と、回路基板１１と筐体１０の背面部１０ａとの間に回路基板１１と略平行に配置した板状導体１６を備え、携帯無線機１を金属板３００上に置くと、放射素子１４が金属板３００によるイメージ電流により、λ／２の電気長を有する垂直無給電素子として動作し、また板状導体１６が放射素子１４のカウンターポイズとして動作するので、金属板３００上でより高いアンテナ性能が得られる。
【００３５】
なお、本発明は、携帯無線機のアンテナ素子を金属板から離すためのリブを必要とするものではないので、携帯無線機１本体の外観やデザインの自由度を制限することはない。
【００３６】
（実施の形態２）
図３は、本発明の実施の形態２に係る携帯無線機の内部の概略構成を示す図である。同図において、本実施の形態に係る携帯無線機２は、下筐体（第１の筐体）１０Ａと、上筐体（第２の筐体）１０Ｂと、下筐体１０Ａと上筐体１０Ｂとを摺動自在に連結する筐体連結部２０とを備えたスライド式の構造を有するものであり、下筐体１０Ａに対して上筐体１０Ｂを筐体長手方向（図４の双方向の矢印Ａで示す方向）にスライドさせることで開閉可能になっている。
【００３７】
筐体連結部２０は、導電性の金属で構成された第１連結部２０Ａと第２連結部２０Ｂとを有し、第１連結部２０Ａと第２連結部２０Ｂとが高周波的に接続されると共に摺動自在に支持される。図６は第１連結部２０Ａ及び第２連結部２０Ｂを示す斜視図であり、（ａ）は第２連結部２０Ｂ、（ｂ）は第１連結部２０Ａである。また、図７は携帯無線機２の開閉時における筐体連結部２０の状態を示す斜視図であり、（ａ）は閉じたときの筐体連結部２０の状態を示し、（ｂ）は開いたときの筐体連結部２０の状態を示す。
【００３８】
図３に戻り、本実施の形態の携帯無線機２は、下筐体１０Ａ側に、下筐体１０Ａの背面部１０Ａａとの間隔がλ／８未満であり、グランドパターンを有する回路基板（以下、下回路基板と言う。）１１と、下回路基板１１上の無線回路（図示略）に接続された給電部１２と、下筐体１０Ａの背面上部１０Ａｂに設けられ、給電部１２と接続されたアンテナ素子１３と、下回路基板１１と下筐体１０Ａの背面部１０Ａａの間に下回路基板１１と略平行に配置された板状導体１６と、板状導体１６と下回路基板１１上の無線回路のグランドパターンとを接続するインダクタンス素子１７と、下回路基板１１上の無線回路のグランドパターンと筐体連結部２０の第１連結部２０Ａとを接続するリアクタンス素子２１とを備えている。また、上筐体１０Ｂ側に、グランドパターンを有する上回路基板２２と、上回路基板２２のグランドパターンと筐体連結部２０の第２連結部２０Ｂとを接続するリアクタンス素子２３と、上筐体１０Ｂの正面部１０Ｂｃに設けられた表示部１８とを備えている。
【００３９】
上筐体１０Ｂ側の上回路基板２２には、前述した実施の形態１の携帯無線機１の放射素子１４に相当するグランドパターンが形成されている。このグランドパターンを放射素子とし、これをリアクタンス素子２３、筐体連結部２０及びリアクタンス素子２１を介して下回路基板１１のグランドパターンに接続し、またインダクタンス素子１７を介して板状導体１６を下回路基板１１のグランドパターンに接続することで、前述した実施の形態１の携帯無線機１と同様の効果が得られる。すなわち、図５に示すように携帯無線機２を金属板３００上に置くと、筐体連結部２０と上回路基板２２が金属板３００によるイメージ電流によりλ／２の無給電素子として動作し、更に板状導体１６がカウンターポイズとして動作するので、無給電素子の放射効率が上がり、より高いアンテナ性能が得られる。
【００４０】
図８の（ａ）は本実施の形態の携帯無線機２の等価構成図である。同図において、符号１１ａは下回路基板１１のグランドパターンである。符号２５は上回路基板２２のグランドパターンによる放射素子であり、λ／４の電気長を有する。符号２６はイメージである。図８の（ａ）は図８の（ｂ）の等価回路に置き換えることができる。放射素子はイメージ側と共にλ／２の無給電素子２７として動作する。
【００４１】
なお、スライド式の携帯無線機に用いられる筐体連結部は大型の導体であり、かつ多くの場合において厚み方向でアンテナ素子と重ならない位置に配置されるため、既存の部品でλ／２の無給電素子を構成し易い。また、筐体開閉でＬＣＤ（表示部１８）を常に見ることができる構造であり、金属板上に置くときにＬＣＤ側を上にし、下筐体を金属板側にするので、スライド式の携帯無線機は本発明に特に適した構造と言える。
【００４２】
また、リアクタンス素子２１、２３を設けることで、放射素子としての上回路基板２２のグランドパターンの電気長の調整が可能となる。すなわち、当該グランドパターンの設計の自由度を上げることができる。
【００４３】
このように本実施の形態の携帯無線機２においても、金属板３００上でより高いアンテナ性能が得られる。また、実施の形態１と同様に携帯無線機２本体の外観やデザインの自由度を制限することはない。
【００４４】
（実施の形態３）
図９は、本発明の実施の形態３に係る携帯無線機の内部の概略構成を示す図である。同図において、本実施の形態に係る携帯無線機３は、前述した実施の形態２の携帯無線機２と同様にスライド式と呼ばれる構造を有するものであり、下筐体（第１の筐体）１０Ａと、上筐体（第２の筐体）１０Ｂと、下筐体１０Ａと上筐体１０Ｂとを摺動自在に連結する筐体連結部２０とを備えている。筐体連結部２０は、下筐体１０Ａに設けられる第１連結部２０Ａと、上筐体１０Ｂに設けられる第２連結部２０Ｂとを備えている。
【００４５】
そして、下筐体１０Ａ側に、下筐体１０Ａの背面部１０Ａａとの間隔がλ／８未満であり、グランドパターンを有する回路基板１１と、回路基板１１上の無線回路（図示略）に接続された給電部１２と、下筐体１０Ａの背面上部１０Ａｂに設けられ、給電部１２と接続されたアンテナ素子１３と、回路基板１１を隔てて下筐体１０Ａの背面部１０Ａａに対して逆側に設けられた第１の放射素子３０と、第１の放射素子３０の一方の端を回路基板１１上の無線回路のグランドパターンと接続させるリアクタンス素子３２と、第１の放射素子３０の他方の端を筐体連結部２０の第１連結部２０Ａと接続させるリアクタンス素子３３と、回路基板１１と下筐体１０Ａの背面部１０Ａａとの間に回路基板１１と略平行に配置された板状導体１６とを備えている。また、上筐体１０Ｂ側に、筐体連結部２０の第２連結部２０Ｂと表示部１８との間に表示部１８と略平行に配置された第２の放射素子３４と、第２の放射素子３４を筐体連結部２０の第２連結部２０Ｂと接続させるリアクタンス素子３５とを備えている。
【００４６】
本実施の形態の携帯無線機３では、第１の放射素子３０と筐体連結部２０と第２の放射素子３４の電気長を、リアクタンス素子３２、３３、３５を含めて略λ／４に設定しており、図２に示すような金属板３００上に置いときに、該金属板３００によるイメージ電流によりλ／２の無給電素子として動作する。更に、板状導体１６がカウンターポイズとして動作するので、無給電素子の放射効率が上がり、より高いアンテナ性能が得られる。
【００４７】
なお、リアクタンス素子３２、３３及び３５を設けることで、第１の放射素子３０及び第２の放射素子３４の電気長の調整が可能となる。すなわち、第１の放射素子３０と第２の放射素子３４の設計の自由度を上げることができる。
【００４８】
このように本実施の形態３の携帯無線機３においても、金属板３００上でより高いアンテナ性能が得られる。また、実施の形態１と同様に携帯無線機３本体の外観やデザインの自由度を制限することはない。
【００４９】
本実施の形態の携帯無線機３の変形例を図１０〜図１２に示す。図１０に示す携帯無線機４は、第１の放射素子３０のみ設けたものである。図１１に示す携帯無線機５は、第２の放射素子３４のみ設けたものである。図１２に示す携帯無線機６は、放射素子を全く持たず、筐体連結部２０を放射素子の代わりに使用したものである。いずれにおいても携帯無線機３と同様の効果が得られる。
【００５０】
（実施の形態４）
図１３は、本発明の実施の形態４に係る携帯無線機の内部の概略構成を示す図である。同図において、本実施の形態に係る携帯無線機７は、下筐体（第１の筐体）７０Ａと、上筐体（第２の筐体）７０Ｂと、下筐体７０Ａと上筐体７０Ｂとを回動自在に連結する筐体連結部８０とを備えた折り畳式の構造を有するものであり、図１４の矢印Ｂで示す方向に上筐体７０Ｂを回動させることで開くことができ、逆方向に回動させることで閉じることができる。
【００５１】
図１５は下筐体７０Ａ及び上筐体７０Ｂそれぞれの外観を示す斜視図であり、（ａ）は上筐体７０Ｂ、（ｂ）は下筐体７０Ａである。図１６は下筐体７０Ａと上筐体７０Ｂを連結する筐体連結部８０を示す斜視図である。筐体連結部８０は、導電性の金属で構成された第１連結部８０Ａと第２連結部８０Ｂを有し、第１連結部８０Ａと第２連結部８０Ｂとが高周波的に接続されると共に回動自在に支持される。第１連結部８０Ａは、下筐体７０Ａに設けられ、第１の放射素子８２と電気的に接続されており、第２連結部８０Ｂは、上筐体７０Ｂに設けられ、第２の放射素子８３と電気的に接続されている。
【００５２】
そして、下筐体７０Ａ側に、下筐体７０Ａの背面部７０Ａａとの間隔がλ／８未満であり、グランドパターンを有する回路基板（以下、下回路基板と言う。）１１と、下回路基板１１上の無線回路（図示略）に接続された給電部１２と、下筐体７０Ａの背面上部７０Ａｂに設けられ、給電部１２と接続されたアンテナ素子１３と、下回路基板１１と下筐体７０Ａの背面部７０Ａａの間に下回路基板１１と略平行に配置された板状導体１６と、板状導体１６と下回路基板１１のグランドパターンとを接続するインダクタンス素子１７と、下回路基板１１のグランドパターンと筐体連結部８０の第１連結部８０Ａとを接続するリアクタンス素子８４とを備えている。また、上筐体７０Ｂ側に、グランドパターンを有する上回路基板２２と、上回路基板２２のグランドパターンと筐体連結部８０の第２連結部８０Ｂとを接続するリアクタンス素子８５と、上筐体７０Ｂの正面部７０Ｂｃ（図１４参照）に設けられた表示部１８とを備えている。
【００５３】
本実施の形態の携帯無線機７では、第１の放射素子８２と筐体連結部８０と第２の放射素子８３の電気長を、リアクタンス素子８４、８５を含めて略λ／４に設定しており、図２に示すような金属板３００上に置いたときに、該金属板３００によるイメージ電流によりλ／２の無給電素子として動作する。更に、板状導体１６がカウンターポイズとして動作するので、無給電素子の放射効率が上がり、より高いアンテナ性能が得られる。
【００５４】
なお、リアクタンス素子８４及び８５を設けることで、第１の放射素子８２及び第２の放射素子８３の電気長の調整が可能となり、第１の放射素子８２と第２の放射素子８３の設計の自由度を上げることができる。
【００５５】
このように本実施の形態４の携帯無線機７においても、金属板３００上でより高いアンテナ性能が得られる。また、実施の形態１と同様に携帯無線機７本体の外観やデザインの自由度を制限することはない。
【産業上の利用可能性】
【００５６】
本発明は、携帯無線機本体の外観やデザインの自由度が制限されることなく高いアンテナ性能を得ることができるといった効果を有し、携帯電話機等の携帯無線機への適用が可能である。
【符号の説明】
【００５７】
１〜７  携帯無線機
１０  筐体
１０Ａ  下筐体
１０Ｂ  上筐体
１０ａ、１０Ａａ、７０Ａａ  背面部
１０ｂ、１０Ａｂ、７０Ａｂ  背面上部
１０ｃ、１０Ｂｃ  正面部
１１  回路基板（下回路基板）
１１ａ  グランドパターン
１２  給電部
１３  アンテナ素子
１４、２５  放射素子
１５、２１、２３、３２、３３、３５、８４、８５  リアクタンス素子
１６  板状導体
１７  インダクタンス素子
１８  表示部
２０、８０  筐体連結部
２０Ａ、８０Ａ  第１連結部
２０Ｂ、８０Ｂ  第２連結部
２６  イメージ
２７  無給電素子
３０、８２  第１の放射素子
３４、８３  第２の放射素子
３００  金属板
【図１】
2011120072.tif 000003
【図２】
2011120072.tif 000004
【図３】
2011120072.tif 000005
【図４】
2011120072.tif 000006
【図５】
2011120072.tif 000007
【図６】
2011120072.tif 000008
【図７】
2011120072.tif 000009
【図８】
2011120072.tif 000010
【図９】
2011120072.tif 000011
【図１０】
2011120072.tif 000012
【図１１】
2011120072.tif 000013
【図１２】
2011120072.tif 000014
【図１３】
2011120072.tif 000015
【図１４】
2011120072.tif 000016
【図１５】
2011120072.tif 000017
【図１６】
2011120072.tif 000018
【図１７】
2011120072.tif 000019
【図１８】
2011120072.tif 000020